(57)【特許請求の範囲】
【請求項１】
４組の互いに摺動自在に嵌合するレールの端部同士を連結して対向する２辺が平行な枠を形成し、前記枠は平行な２辺を長さ方向に摺動させることにより大きさを自在に変更可能であり、前記枠を所定の大きさに設定した後に固定手段で固定し、ごみを受ける網の開口端を枠の周囲に引っ掛けることを特徴とするごみネット取付枠。
【請求項２】
前記網は、枠の形状及び大きさに対応して伸縮する網である請求項１のごみネット取付枠。
【発明の詳細な説明】
【０００１】
【発明の属する技術分野】
本発明は、グリーストラップに使用する汚物を受けるごみネットの取付枠に関するものである。
【０００２】
【従来の技術】
従来のグリーストラップは、汚物を収容する槽内に金属製のバスケットを装備していた。
【０００３】
【発明が解決しようとする課題】
バスケットに汚物が蓄積すると定期的に清掃しなければならないが、この清掃作業は主に人手に頼っているため、時間及び手間がかかっていた。そこで、清掃作業の簡略化を図ることができる装置の使用が望まれる。
【０００４】
【課題を解決するための手段】
第１発明は、４組の互いに摺動自在に嵌合するレールの端部同士を連結して対向する２辺が平行な枠を形成し、前記枠は平行な２辺を長さ方向に摺動させることにより大きさを自在に変更可能であり、前記枠を所定の大きさに設定した後に固定手段で固定し、ごみを受ける網の開口端を枠の周囲に引っ掛けることを特徴とするごみネット取付枠である。
第２発明は、第１発明において、枠の形状及び大きさに対応して伸縮する網を採用したごみネット取付枠である。
【０００５】
【発明の実施の形態】
図１は、本発明のごみネット取付枠１００の平面図を示している。図１に示すように、上面に取手２０ａ、２０ｂをそれぞれねじ２１ａ、２１ｂ（図２）で固着した第１レール１、第２レール２、及び第３レール３、第４レール４が長方形を形成するように配置されている。各レールは、例えばアルミニウムで形成されており、ペンチ等で容易に変形させることができる。
【０００６】
図１のII−II矢視図である図２に示すように第１レール１は、上部フランジ１ａ、１ｂ、下部フランジ１ｃ、１ｄを備えており、又、取手２０ａの長手方向の両側に爪１ｅ、１ｆ（図１）が形成されている。
【０００７】
図２に示すように第２レール２は、上部フランジ２ａ、２ｂ、下部フランジ２ｃ、２ｄを備えており、又、取手２０ｂの長手方向の両側に爪２ｅ、２ｆ（図１）が形成されている。
【０００８】
図１に示すように、第３レール３には爪３ａ〜３ｅが設けられており、第４レール４には爪４ａ〜４ｅが設けられている。図１のV−V断面図である図５に示すように第３レール３は、上部フランジ１３ａ、１３ｂ、下部フランジ１３ｃ、１３ｄを備えており、第４レール４は、上部フランジ１４ａ、１４ｂ、下部フランジ１４ｃ、１４ｄを備えている。
【０００９】
図２に示すように第１ガイド５は、フランジ５ａ、５ｂを備えており、フランジ５ａ、５ｂは、第１レール１の上部フランジ１ａ、１ｂ、下部フランジ１ｃ、１ｄの間に摺動自在に嵌合している。図２のIII−III矢視図である図３及びIV−IV矢視図である図４に示す第２ガイド６は、第１ガイド５と同じ形状であり、第１レール１と摺動可能に嵌合している。
【００１０】
図３に示すように第３ガイド７、第４ガイド８は、第１ガイド５、第２ガイド６と同じ形状であり、第１ガイド５、第２ガイド６が第１レール１に摺動自在に嵌合するのと同様に第２レール２に摺動自在に嵌合している。
【００１１】
図３、図４に示すように第１ガイド５、第２ガイド６にはフランジ１５、１６がそれぞれ一体に固着されている。同様に第３ガイド７、第４ガイド８にもフランジ１７、１８が、それぞれフランジ１５、１６と対向するように固着されている。
【００１２】
図３に示すように第５ガイド２５にはフランジ２５ａが固着されている。フランジ１８とフランジ２５ａは脚３１とそれぞれリベット３１ｂ、３１ａで固着されており、第４ガイド８と第５ガイド２５は、脚３１で一体固着されている。
【００１３】
第６ガイド２６にはフランジ２６ａが固着されている。フランジ１６、２６ａは脚３２とそれぞれリベット３２ｂ、３２ａで固着されており、第２ガイド６と第６ガイド２６は、脚３２で一体固着されている。
【００１４】
第７ガイド２７にはフランジ２７ａが固着されている。フランジ１７、２７ａは脚３４とそれぞれリベット３４ｂ、３４ａで固着されており、第３ガイド７と第７ガイド２７は、脚３４で一体固着されている。
【００１５】
第８ガイド２８にはフランジ２８ａが固着されている。フランジ１５、２８ａは脚３３とそれぞれリベット３３ｂ、３３ａで固着されており、第１ガイド５と第８ガイド２８は、脚３３で一体固着されている。
【００１６】
第１ガイド５、第３ガイド７は、図３に示す矢印Ａ方向に第１レール１、第２レール２に対してそれぞれ摺動させることができ、第２ガイド６、第４ガイド８も、図３に示す矢印Ａ方向に第１レール１、第２レール２に対してそれぞれ摺動させることができる。
【００１７】
第５ガイド２５、第７ガイド２７は、図３に示す矢印Ｂ方向に第３レール３、第４レール４に対してそれぞれ摺動させることができ、第６ガイド２６、第８ガイド２８も、図３に示す矢印Ｂ方向に第３レール３、第４レール４に対してそれぞれ摺動させることができる。
【００１８】
図６に示すようにグリーストラップ２００内には仕切５４が挿入されており、図７に示すように仕切５４の一側は内壁５３に固着された仕切ガイド５１ａ、５１ｂで、また他側は仕切ガイド５１ｃ、５１ｄで挟持されており、仕切５４はグリーストラップ２００に対して着脱可能となっている。
【００１９】
図７に示すようにグリーストラップ２００の内壁５３にはフランジ５３ａ、５３ｂ、５４ｂが、また、仕切５４にはフランジ５４ａがそれぞれ上面の高さを一致させて固着されている。
【００２０】
ごみネット取付枠１００は、各レールに対して、各ガイドを摺動させることにより図１の長方形の大きさを変化させることができ、図７に示すフランジ５３ａ、５３ｂ、５４ａ及び５４ｂの上面に、図３に示す下面１０５〜１０８を着床させて、グリーストラップ２００内にごみネット取付枠１００を装着する。
【００２１】
各ガイドはグリーストラップ２００の内壁５３と仕切５４で仕切られた空間の形状、大きさに合わせて図３の矢印Ａ、Ｂ方向に摺動させて調整することができる。
【００２２】
各ガイドをグリーストラップ２００の内壁５３及び仕切５４で仕切られた大きさに合わせて調整した後、図２に示す第１レール１の上部フランジ１ａ、１ｂと第１ガイド５をペンチでかしめ、第１ガイド５のフランジ５ａ、５ｂと噛み込ませ、摺動不能にする。各レールと各ガイドは、第１レール１と第１ガイド５と同様にかしめて摺動不能にする。
【００２３】
各レールに対して、各ガイドを摺動させずに、空間１００ａ（図１）の大きさが最小になる位置でかしめて固定した場合、メッシュサイズが０．５〜４ｍｍ（好ましくは２ｍｍ）の網袋５２（図５）の開口縁を図１に示す第１レール１の両端９１ａ、９１ｂ及び第２レール２の両端９２ａ、９２ｂに引っかけ、図１に示す空間１００ａに流入する汚物及び汚水を受ける。
【００２４】
各レールに対して、各ガイド又はいずれかのガイドを摺動させた後に各レールをかしめてガイドの位置を固定した場合、網袋の開口縁は、第１ガイド５の図３で見て右上端９５、第２ガイド６の右下端９６、第３ガイド７の左上端９７及び第４ガイド８の左下端９８に引っかける。
【００２５】
網袋に汚物が蓄積するにつれて、網袋の開口縁は空間１００ａ側に引き摺られるが、爪１ｅ、１ｆ、２ｅ、２ｆ、３ａ〜３ｅ、及び４ａ〜４ｅに引っかかり、しっかりと保持される。
【００２６】
網袋に汚物が蓄積して目詰まりしたら、取手２０ａ、２０ｂ（図１）を持ち、グリーストラップから網袋（図示せず）をごみネット取付枠１００ごと取り外す。網袋の底が地面に触れると汚物が網袋の開口から出る恐れがあるが、図４に示す脚３２、３３、及び図５に示す脚３１、３４は、ごみネット取付枠１００を地面等の平地に置いた際、網袋の底が地面に触れないようにする機能を備えている。脚３１〜３４の図４、図５で見て上下方向の長さは、網袋に収容する汚物の蓄積量に応じて設定する。
【００２７】
各レールと各ガイドは、かしめ以外に接着剤で接着してもよいし、鋼製であれば溶接してもよく、又、ボルトナットで固着してもよい。
【００２８】
【発明の効果】
少ない部材で種種多様なグリーストラップの形状、大きさに対応したごみネット取付枠を簡単に製作することができる。
【００２９】
グリーストラップの形状、大きさに応じて枠の形状、大きさを変更することができるので、大量生産し易く、経済的である。
【００３０】
伸縮性の網を採用すると、異なる大きさのごみネット取付枠にも対応することができ、枠の大きさに合う伸縮性のない網をその都度用意せずに済む。
【図面の簡単な説明】
【図１】  ごみネット取付枠の平面図である。
【図２】  図１のII−II矢視図である。
【図３】  図２のIII−III矢視図である。
【図４】  図２のIV−IV矢視図である。
【図５】  図１のV−V断面図である。
【図６】  グリーストラップの斜視図である。
【図７】  グリーストラップの平面図である。
【符号の説明】
１  第１レール
２  第２レール
３  第３レール
４  第４レール
５２  網袋（網）
１００  ごみネット取付枠
【図１】
0003704224.tif 000002
【図２】
0003704224.tif 000003
【図３】
0003704224.tif 000004
【図４】
0003704224.tif 000005
【図５】
0003704224.tif 000006
【図６】
0003704224.tif 000007
【図７】
0003704224.tif 000008